(57)【要約】【課題】表示部上の個々の画像を確認し確実に操作できるようにした画像表示装置および画像表示方法を提供する。【解決手段】表示部８とタッチパネル８ｂとからなる画像表示装置において、複数の画像９１を個々の画像に隣接させて一覧表示する第１の表示モードと、複数の画像９１の中から、タッチパネル８ｂによって選択された１つを拡大表示する第２の表示モードと、第１の表示モードにおいて、タッチパネル８ｂが操作され、複数のタッチ画像９６がタッチされると、このタッチされた複数のタッチ画像に基づいて、複数の候補画像９２第１の表示モードより離散的に表示する第３の表示モードに、移行させる制御を行う。【選択図】  図４
2010113441.tif 000002
【特許請求の範囲】
【請求項１】
表示パネルとタッチパネルとからなる画像表示装置において、
複数の画像を個々の画像に隣接させて一覧表示する第１の表示モードと、
上記複数の画像の中から、上記タッチパネルによって選択された１つを拡大表示する第２の表示モードと、
上記第１の表示モードにおいて、上記タッチパネルが操作された時に、上記タッチパネル操作位置に相当する複数の画像を、上記第１の表示モードより離散的に表示する第３の表示モードに、移行させる制御を行う、
表示制御部と、
を具備することを特徴とする画像表示装置。
【請求項２】
上記表示制御部は、上記第３の表示モードにおいて、上記タッチパネルの操作状態を判定して、上記第２の表示モードを実行することを特徴とする請求項１に記載の画像表示装置。
【請求項３】
上記第３の表示モードは、上記第１の表示モードにおいて操作された上記タッチパネルの状態に従って上記離散的な位置を決定することを特徴とする請求項１に記載の画像表示装置。
【請求項４】
上記タッチパネルにおけるタッチの強さを２段階で検出可能とし、
上記表示制御部は、
上記タッチパネルのタッチの強さの検出結果、弱いタッチであった場合には、上記タッチを止めると、上記第３の表示モードから上記第１の表示モードに戻り、
上記タッチパネルのタッチの強さの検出結果、強いタッチであった場合には、上記タッチを止めると、上記第３の表示モードのままである、
ことを特徴とする請求項１に記載の画像表示装置。
【請求項５】
上記タッチパネルにおけるタッチの過程を２段階で検出可能とし、
上記表示制御部は、
上記タッチパネルのタッチ過程の検出結果、上記タッチパネルから遠い第１のタッチ段階であった場合には、上記タッチを止めると、上記第３の表示モードから上記第１の表示モードに戻り、
上記タッチパネルのタッチ過程の検出結果、上記タッチパネルに近い第２のタッチ段階であった場合には、上記タッチを止めると、上記第３の表示モードのままである、
ことを特徴とする請求項１に記載の画像表示装置。
【請求項６】
画像を表示するための画像表示部と、この画像表示部の表面をタッチしたことを検出するタッチ検出部を有する表示装置と、
複数の上記画像を上記画像表示部に一覧表示を行っている場合に、上記タッチ検出部によりタッチされたことを検出した際に、上記タッチされた周辺の画像との間隔を離間させて画像を表示させる表示制御部と、
を具備することを特徴とする画像表示装置。
【請求項７】
上記表示制御部は、上記タッチ検出部によって検出された画像の数に応じて、縦と横方向の画像数が等しくなるように予め定められたパターンで上記画像を表示することを特徴とする請求項６に記載の画像表示装置。
【請求項８】
上記タッチ検出部は、タッチされた幅を検出し、上記表示制御部は上記タッチ検出部によって検出された上記幅に基づいて、上記離間させる距離を決めることを特徴とする請求項６に記載の画像表示装置。
【請求項９】
上記表示制御部は、上記画像を離散して表示する場合には、一覧表示の際の画像の大きさより、大きくして表示することを特徴とする請求項６に記載の画像表示装置。
【請求項１０】
上記表示制御部は、中央の画像を周囲の画像よりも大きくして表示することを特徴とする請求項６に記載の画像表示装置。
【請求項１１】
複数の画像を一覧表示し、
上記一覧表示した際に、表示部をタッチされたか否かを判定し、
上記判定の結果、タッチされた場合には、上記タッチされた周辺の画像との間隔を離間させて画像を表示させる、
ことを特徴とする画像表示方法。
【発明の詳細な説明】
【技術分野】
【０００１】
本発明は、画像表示装置に関し、詳しくは、タッチパネル等の画面上で指示することの可能な画像表示装置に関する。
【背景技術】
【０００２】
近年、カメラなどの携帯機器は、携帯性を高めると共に、表示パネルの大型化が求められている。このため、表示部を有効に操作部材として活用できるタッチパネルの利用が増加している。例えば、特許文献１には、マニュアルにて各種パラメータを設定する際に、タッチパネルを用いたカメラが開示されている。このカメラは、タッチパネルの押圧に係わる条件で撮影パラメータを変更している。
【特許文献１】特開２００６−７８６６３号公報
【０００３】
また、カメラの画像記録用のメモリ容量も大容量化する方向にあり、カメラは大量の画像を扱う傾向にある。これらの画像を一括してプリントするようなフィルムカメラの時代の使い方より、むしろ、選択した画像をブログやＳＮＳにアップするような使い方が一般的になってきている。すなわち、大量の画像の中からどうやって画像を選択するかが重要なテーマとなってきている。
【発明の開示】
【発明が解決しようとする課題】
【０００４】
カメラ等の携帯機器において、タッチパネル等の表示装置は小型化に貢献しているが、大量の画像の中から画像を選択するにあたって、使い勝手が十分とは言い難い。すなわち、大量の画像を限られたスペースに表示すると、どうしても個々の画像の間隔が狭くなってしまう。このため、画像選択時に、正しくタッチすることが困難である。この点、上述の特許文献１に記載のカメラにおいては、タッチ部分の間隔については考慮されていない。
【０００５】
本発明は、このような事情を鑑みてなされたものであり、表示部上の個々の画像を確認し確実に操作できるようにした画像表示装置および画像表示方法を提供することを目的とする。
【課題を解決するための手段】
【０００６】
上記目的を達成するため第１の発明に係わる画像表示装置は、表示パネルとタッチパネルとからなる画像表示装置において、複数の画像を個々の画像に隣接させて一覧表示する第１の表示モードと、上記複数の画像の中から、上記タッチパネルによって選択された１つを拡大表示する第２の表示モードと、上記第１の表示モードにおいて、上記タッチパネルが操作された時に、上記タッチパネル操作位置に相当する複数の画像を、上記第１の表示モードより離散的に表示する第３の表示モードに、移行させる制御を行う、表示制御部と、を具備する。
【０００７】
第２の発明に係わる画像表示装置は、上記第１の発明において、上記表示制御部は、上記第３の表示モードにおいて、上記タッチパネルの操作状態を判定して、上記第２の表示モードを実行する。
第３の発明に係わる画像表示装置は、上記第１の発明において、上記第３の表示モードは、上記第１の表示モードにおいて操作された上記タッチパネルの状態に従って上記離散的な位置を決定する。
【０００８】
第４の発明に係わる画像表示装置は、上記第１の発明において、上記タッチパネルにおけるタッチの強さを２段階で検出可能とし、上記表示制御部は、上記タッチパネルのタッチの強さの検出結果、弱いタッチであった場合には、上記タッチを止めると、上記第３の表示モードから上記第１の表示モードに戻り、上記タッチパネルのタッチの強さの検出結果、強いタッチであった場合には、上記タッチを止めると、上記第３の表示モードのままである。
第５の発明に係わる画像表示装置は、上記第１の発明において、上記タッチパネルにおけるタッチの過程を２段階で検出可能とし、上記表示制御部は、上記タッチパネルのタッチ過程の検出結果、上記タッチパネルから遠い第１のタッチ段階であった場合には、上記タッチを止めると、上記第３の表示モードから上記第１の表示モードに戻り、上記タッチパネルのタッチ過程の検出結果、上記タッチパネルに近い第２のタッチ段階であった場合には、上記タッチを止めると、上記第３の表示モードのままである。
【０００９】
第６の発明に係わる画像表示装置は、画像を表示するための画像表示部と、この画像表示部の表面をタッチしたことを検出するタッチ検出部を有する表示装置と、複数の上記画像を上記画像表示部に一覧表示を行っている場合に、上記タッチ検出部によりタッチされたことを検出した際に、上記タッチされた周辺の画像との間隔を離間させて画像を表示させる表示制御部と、を具備する。
【００１０】
第７の発明に係わる画像表示装置は、上記第６の発明において、記表示制御部は、上記タッチ検出部によって検出された画像の数に応じて、縦と横方向の画像数が等しくなるように予め定められたパターンで上記画像を表示する。
第８の発明に係わる画像表示装置は、上記第６の発明において、上記タッチ検出部は、タッチされた幅を検出し、上記表示制御部は上記タッチ検出部によって検出された上記幅に基づいて、上記離間させる距離を決める。
第９の発明に係わる画像表示装置は、上記第６の発明において、上記表示制御部は、上記画像を離散して表示する場合には、一覧表示の際の画像の大きさより、大きくして表示する。
第１０の発明に係わる画像表示装置は、上記第６の発明において、上記表示制御部は、中央の画像を周囲の画像よりも大きくして表示する。
【００１１】
第１１の発明に係わる画像表示方法は、上記一覧表示した際に、表示部をタッチされたか否かを判定し、上記判定の結果、タッチされた場合には、上記タッチされた周辺の画像との間隔を離間させて画像を表示させる。
【発明の効果】
【００１２】
本発明によれば、表示部上の個々の画像を確認し確実に操作できるようにした画像表示装置および画像表示方法を提供することができる。
【発明を実施するための最良の形態】
【００１３】
以下、図面に従って本発明を適用したカメラを用いて好ましい一実施形態について説明する。図１は、本発明の一実施形態に係わるカメラの構成を示すブロック図であり、カメラ１０は被写体を撮影し、画像を取得するデジタルカメラである。カメラ１０は、画像処理及び制御部１、撮像部２、顔検出部３、記録部４、操作判定部６、表示部８、タッチパネル８ｂ、時計部９、通信部１２を有している。
【００１４】
撮像部２は、被写体像を結像するための光学系や被写体像を光電変換する撮像素子を有し、画像データを画像処理及び制御部１等に出力する。画像処理及び制御部１は、撮像部２から出力される画像データの画像処理を行う。また、画像処理及び制御部１は、予め記憶部（不図示）に格納されたプログラムに従って、カメラ１０全体の制御を行う。
【００１５】
顔検出部３は撮像部２からの画像データを入力し、この画像中に顔部分が存在するか否かを判定し、存在する場合にはその位置を検出する。前述の画像処理及び制御部１は、顔検出部３からの顔情報を、ピント合わせや露出を制御する際のターゲットとして用いる。表示部８は、画像データに基づいて、被写体像をライブビュー表示する。撮影者はこのライブビュー表示を観察しながら、撮影時の構図決めやシャッタチャンスを決定する。
【００１６】
操作判定部６は、カメラ１０に設けられたレリーズ釦、ズーム釦、再生釦、メニュー釦等の操作部材の操作状態を判定する。時計部４は、日時情報を出力する。記録部４は、画像データを記録する記録媒体である。画像処理及び制御部１は、操作判定部６によって撮影指示の操作がなされたことを判定すると、画像データとこの画像データに関連付けて撮影時の日時情報を記録部４に記録する。撮影日時に基づいて画像管理を可能とするためである。
【００１７】
通信部１２は、画像処理及び制御部１に接続され、画像データを外部に送信し、また受信するための通信を行う。通信手段としては、ＵＳＢケーブル等による有線通信、赤外線や無線による通信等を利用可能であり、また、ホットスポット等においてネットワークを介して外部のサーバーと通信することにより、撮影した画像をブログ等にアップしたり、また、パーソナルコンピュータに画像を送信することが可能である。
【００１８】
画像処理及び制御部１の内部には、表示制御部１ｂが設けてあり、この表示制御部１ｂは表示部８とタッチパネル８ｂの制御を行う。表示部８は、記録部４に記録されている撮影画像を再生可能であり、一覧表示されている再生画像の中から、タッチパネル８ｂのタッチ状態に応じて画像選択が可能である。ここで選択された画像は、前述の通信部１２を介して外部に送信可能である。表示制御部１ｂは、タッチパネル８ｂのタッチ状態等の操作状態や、画像の表示状態に応じて、表示形態を変更し、画像選択が容易になるようにする。
【００１９】
次に、図２および図３を用いて、タッチパネル８ｂの構成について説明する。図２に示すタッチパネル８ｂは、いわゆる抵抗型タッチパネルであり、２枚の透明フィルム１０１、１０２から構成されている。２枚の透明フィルム１０１、１０２には、それぞれ複数の帯からからなる透明抵抗膜１０３、１０４が設けられており、これらの透明抵抗膜１０３、１０４が互いに直交するように向かい合わせて配設する。
【００２０】
この状態で、上から押圧すると、図２（ｂ）に示すように、押圧された付近において、透明抵抗膜１０３、１０４が接して導通する。透明抵抗膜１０３、１０４のそれぞれの端部電極（図示の矢印の方向）における電気信号の変化を検出することにより、いずれの透明抵抗膜１０３、１０４が接したか否かが分かる。接触した透明抵抗膜１０３、１０４を特定することにより、その交点位置から押圧された位置を判定することができる。
【００２１】
図２（ｂ）に示すように、指等で押圧されたときの透明抵抗膜１０３の抵抗がＲ１１、Ｒ１２に分割されるとすると、同じ位置でさらに強く押圧すると、図２（ｃ）に示すように、抵抗がＲ２１、Ｒ２２に変化する。このときの抵抗値の関係は、透明抵抗膜１０３と透明抵抗膜１０４の接触面積が増加し、接触していない部分が少なくなることから、Ｒ１１＞Ｒ２１、Ｒ１２＞Ｒ２２となる。したがって、抵抗値の変化を検出することにより、ユーザがタッチパネル８ｂを押しこんだか、強く押しこんだかを判定することができる。
【００２２】
図３に示すタッチパネル８ｂは、光電センサ型タッチパネルである。このタッチパネル８ｂ、液晶８０内に光センサ８０ｂが所定の間隔で２次元的に配列されており、液晶８０の背面にはバックライト８０ａが設けられている。この光電センサ型のタッチパネルは、液晶上に配置されるのではなく、液晶内に一体に組み込まれる。
【００２３】
ユーザの指８１がタッチパネル８ｂに近づくと、バックライト８０ａからの光が、指８１によって反射され、光センサ８０ｂによって検出される。いずれの光センサ８０が指８１からの反射光を検出したによって、タッチ位置を検出することができる。ユーザの指８１の位置は、図３（ａ）に示すように、液晶８０より少し浮いた位置にある場合と、図３（ｂ）に示すように、液晶８０の表面に密着している場合では、指８１からの反射光を検出する光センサ８０ｂの位置が異なる。したがって、いずれの光センサ８０ｂが検出したかを判定することによって、ユーザの指８１の位置や、またいずれの方向からタッチされたか等のタッチ具合について判定することができる。すなわち、光電センサ型のタッチパネルでは、タッチ過程を検出でき、タッチパネルから遠い第１のタッチ段階と、タッチパネルに近い第２のタッチ段階とに、少なくとも２段階に区別することが可能である。
【００２４】
次に、図４を用いて、本実施形態における表示部８とタッチパネル８ｂの使用方法について説明する。多数の画像を見る場合には、ユーザは操作部を操作し、撮影画像を表示部８に一覧表示する。図４（ａ）（ｂ）は、この一覧表示の例を示しており、図４（ａ）では９コマの撮影画像を再生表示し、図４（ｂ）では１６コマの撮影画像を再生表示している様子を示す。この例より明らかなように、画像が多くなればなるほど、画像全体を把握しやすいが、個々の画像が小さくなり、画像間隔が狭くなることから、タッチパネル８ｂ上での選択は困難になる。すなわち、図４（ｃ）では、２５コマの一覧表示であるが、この中から１つの画像を選択しようとすると、画像９１が小さく、画像間隔がｄ１と狭いために、複数コマのタッチ画像９６に触れてしまう（図４（ｃ）の例では、斜線を施した５コマをタッチしている）。
【００２５】
そこで、本実施形態においては、一覧表示されている画像９１の中から候補画像９２を選択するために、タッチパネル８ｂをタッチすると、図４（ｄ）に示すように、候補画像９２の間が間隔ｄ２に広げられて表示される。すなわち、隣の画像がタッチされないように、図４（ｃ）の状態から図４（ｄ）の状態に、表示を移行させている。これによって画像の間隔が開き、かつ、候補画像９２（図４（ｃ）（ｄ）の例ではタッチされた５画像を含め９画像）を表示するようにしている。このため、ユーザは、意図する画像をタッチすることにより、簡単かつ確実に画像を選択することができる。
【００２６】
次に、本実施形態におけるカメラの動作について、図５に示すフローチャートを用いて説明する。このカメラ制御のフローに入ると、まず、電源スイッチがオンか否かの判定を行う（Ｓ１０１）。この判定の結果、電源スイッチがオンでなかった場合には、このカメラ制御のフローを終了する。終了するとスリープ状態に入り、電源スイッチがオンとなると、割り込み処理が行われ、ステップＳ１０１より実行する。
【００２７】
ステップＳ１０１における判定の結果、電源スイッチがオンであった場合には、次に、撮影モードか否かの判定を行う（Ｓ１０２）。この判定の結果、撮影モードに設定されている場合には、次に、ライブビュー表示を行う（Ｓ１０３）。ライブビュー表示は、撮像部２によって取得した画像データに基づいて、表示部８に被写体像を動画表示するものであり、撮影者は、このライブビュー表示を見て、構図を決定する。また、この際、顔検出部３によって顔を検出した場合には、この顔のある部分にピント合わせや露出合わせを行うようにしても良い。
【００２８】
続いて、レリーズか否かの判定を行う（Ｓ１０４）。このステップでは、撮影者がレリーズ釦を操作し、撮影を指示したか否かを操作判定部６によって判定する。この判定の結果、レリーズされていなかった場合には、ステップＳ１０２に戻り、前述の動作を実行する。一方、ステップＳ１０４における判定の結果、レリーズされた場合には、静止画による撮影を行う（Ｓ１０５）。ここでは、撮像部２によって取得した画像データを記録部４に記録する。撮影が終わると、ステップＳ１０１に戻る。
【００２９】
ステップＳ１０２における判定の結果、撮影モードでなかった場合には、再生モードか否かの判定を行う（Ｓ１１１）。再生モードは、記録部４に記録されている撮影画像を表示部８に再生表示するモードである。このステップＳ１１１における判定の結果、再生モードでなかった場合には、ステップＳ１０２に戻り、前述の動作を実行する。一方、ステップＳ１１１における判定の結果、再生モードであった場合には、画像再生を行う（Ｓ１１２）。ここでの画像再生は、１コマでの再生であり、例えば、最終画像が再生表示される。
【００３０】
続いて表示の分割数を示す変数Ｎを１とする（Ｓ１１３）。次に、一覧表示を行うか否かの判定を行う（Ｓ１１４）。ここでは、再生表示するにあたって、サムネイル表示を指示するための操作部材（メニュー画面での設定を含む）が操作されたか否かの判定を行う。この判定の結果、一覧表示でなかった場合には、画像の切り換えを行うか否かの判定を行う（Ｓ１３１）。このステップでは、再生画像の送り操作用または戻し操作用の操作部材が操作されたか否かを判定する。
【００３１】
ステップＳ１３１における判定の結果、切換え操作がなされた場合には、同じ形式で画像の切り換えを行う（Ｓ１３２）。すなわち、操作部材の操作に応じて、ステップＳ１１２における画像再生と同じ形式で１コマの画像が再生表示される。一方、ステップＳ１３１における判定の結果、画像切換えでなかった場合には、送信か否かの判定を行う（Ｓ１３３）。この判定は、送信釦等の操作部材がユーザによって操作されたか否かによって行う。
【００３２】
ステップＳ１１３における判定の結果、送信であった場合には、送信を行う（Ｓ１３４）。ここでは、表示部８に再生表示されている画像の画像データをコピーし、有線または無線等により通信部１２を介して外部に送信する。この送信を行うと、またはステップＳ１３２における画像切換えを行うと、またはステップＳ１３３における判定の結果、送信でなかった場合には、ステップＳ１０１に戻る。
【００３３】
ステップＳ１１４における判定の結果、一覧表示であった場合には、次に、変数Ｎに１を加算する（Ｓ１２１）。続いて、変数Ｎの２乗の画像が読み出され（Ｓ１２２）、一覧表示される（Ｓ１２３）。ステップＳ１２１を通過するたびに、変数Ｎは加算されるので、最初は、４コマ画像で一覧表示され、次は９コマ画像で一覧表示され、その次は１６コマ画像で一覧表示される。一覧表示することにより、ユーザは多数の画像の中から探している画像を見つけ出すことができる。なお、このときの一覧表示されている画像の間隔は、図４（ｃ）に示すようにｄ１である。
【００３４】
一覧表示を行うと、続いて、タッチパネル８ｂがタッチされたか否かの判定を行う（Ｓ１２４）。この判定の結果、タッチされていた場合には、次に、複数タッチか否かの判定を行う（Ｓ１２５）。ここで、複数タッチか否かは図４（ｃ）に示すように、複数のタッチ画像９６に触れている場合である。
【００３５】
ステップＳ１２５における判定の結果、複数タッチであった場合には、次に、タッチ部の複数コマ間が大きくなるようにする（Ｓ１２７）。ここでは、タッチされたコマ数に応じて、図４（ｄ）に示したように、画像の間隔をｄ２に広げ、選びやすいように表示をし直す。このタッチ部複数コマ間大のサブルーチンについては、図６を用いて後述する。
【００３６】
タッチ部複数コマ間大を行うと、次に、押しこみがなされているか、すなわち強いタッチがなされているか否かの判定を行う（Ｓ１２８）。ここで、押し込かは、抵抗型タッチパネルの場合には、図２（ｃ）に示すように強い押圧力で押された場合であり、光電センサ型タッチパネルの場合には、図３（ｂ）に示すように、指８１がタッチパネル８ｂに近づいた状態である（前述の第２のタッチ段階）。このステップＳ１２８における判定の結果、押し込みがなされた場合には、ステップＳ１２４に戻り、前述の動作を実行する。一方、判定の結果、押し込みなかった場合にはステップＳ１２１に戻る。これによって、図４（ｄ）に示すタッチ部の複数のコマの間隔を広げた状態において、タッチを止めると、図４（ｃ）に示すような一覧表示の状態（ステップＳ１２３）に戻している。これはタッチされた複数のコマを拡大表示した際に、ユーザの意図するコマが含まれていなかった場合に、再度、一覧表示に戻すことにより、やり直しを簡単にし、検索性を向上させるためである。従って、意図しない画像が選択されそうになった場合には、押しこまず、指を離せば良い。
【００３７】
ステップＳ１２５における判定の結果、複数タッチでなかった場合には、タッチされている画像を拡大表示する（Ｓ１２６）。ここではタッチされているのが１コマだけであるので、このタッチされている１コマの画像を拡大表示する。拡大表示すると、ステップＳ１１３に戻る。
【００３８】
ステップＳ１２４における判定の結果、タッチされていなかった場合には、画像選択を終了するか否かの判定を行う（Ｓ１４１）。ここでは、再生モードを終了するために再生釦が操作されたか否か等によって判定する。この判定の結果、終了でなかった場合には、ステップＳ１１４に戻るので、一覧表示を続行すれば、さらに多数の画像を見ることができる。一方、ステップＳ１４１における判定の結果、再生終了であった場合には、ステップＳ１０１に戻り、前述の動作となる。
【００３９】
次に、ステップＳ１２７におけるタッチ部複数コマ間大のサブルーチンについて説明するが、その前に、ユーザによってタッチパネル８ｂを複数個所、タッチされた場合に、どのように候補画像を表示するかについて、図７ないし図９を用いて説明する。図８は、Ｌ個×Ｌ個におけるＬが３の場合を示す。図８（ａ）は３×３に画面を分割したところであり、この状態では分割コマ９１、９３（説明上、２画像を例に挙げるが、他の画像でも同じである）の間隔が狭く、ユーザは画像を選択するにあたって狙いを定めにくい。そこで、図８（ｂ）に示すように、各分割コマ９３ａ、９３ｂのほぼ中央部に、各分割コマ９３ａ、９３ｂの面積の約半分くらいに候補画像９２ａ、９２ｂを表示する部分（図中斜線部）を設けている。そして、表示の際には、図８（ｃ）に示すように、画像９２ａ、９２ｂを表示する。これによって、ユーザは確実に選びたい画像を容易かつ確実にタッチすることができる。
【００４０】
また、一覧表示において、タッチ画像９６の数ＭがＬ×Ｌではない場合には、タッチ画像９６の数が、（Ｌ−１）×（Ｌ−１）より大きく、Ｌ×Ｌまでの間に入るＬを演算する。このＬは、タッチ画像数Ｍの平方根の整数部に、１を加えることにより求められる。例えば、タッチ画像数Ｍが５の場合には、タッチ画像数Ｍの平方根の整数部は２であることから、これに１を加算して、Ｌ＝３となる。この場合には、３×３＝９と９分割すれば良い。
【００４１】
また、タッチ画像数Ｍの平方根に小数部がある場合には、タッチされた画像以外の周辺の画像を候補画像として表示する。この候補画像の選択の仕方について、図７を用いて説明する。図７（ａ）は、ユーザにより、斜線を施した７つのタッチ画像９６（図では、代表として１つのタッチ画像のみに符号を付してある）が、タッチされた状態を示す。このような場合に、表示部８に候補画像９２として表示する画像としては、タッチ画像９６以外に、それらに隣接したコマで、上下または左右のいずれから、囲まれた範囲のコマを「みなしタッチ画像」として候補画像とする。図７（ａ）に示した例では、２つのみなし画像９７ａ、９７ｂも加え、図７（ｂ）に示すように、斜線部で施した９つの画像を候補画像９６として選択する。これによって、ユーザがタッチしたと思ったところと、実際にタッチパネル８ｂが反応した位置の誤差を吸収することができる。また、図７（ｃ）に示すように、図中、斜線で施した７つのタッチ画像９６の左下にある２つの画像が欠けたような場合も、みなしタッチ画像９７ｃ、９７ｄを候補画像９６として扱う。
【００４２】
また、上述の処理を行っても、Ｌ×Ｌの分割画面を満たさない場合がある。このような場合には、不足分をタッチ画像の重心位置を考慮し、重心側の画像を候補画像として扱う。例えば、図７（ｄ）に示す例では、左側のタッチ画像９６ａは破線部内の２つであり、右側のタッチ画像９６ｂは破線部内の３つであることから、タッチ画像９６ａ、９６ｂの重心位置はタッチ画像の中では右側にある。そこで、タッチ画像９６ｂの右側の３つの画像をみなしタッチ画像９７ｅ、９７ｆ、９７ｇを候補画像９６として扱う。したがって、図７（ｄ）の場合には、タッチ画像に加えて、みなしタッチ画像９７ｅ〜９７ｇと、左下側のみなし画像９７ｈも含めて、９つの画像を候補画像としてあつかう。
【００４３】
次に、ステップＳ１２７におけるタッチ部複数コマ間大のサブルーチンを、図６に示すフローチャートを用いて説明する。
【００４４】
このフローに入ると、まず、タッチコマ数Ｍの判定を行う（Ｓ２３１）。ステップＳ１２５において、複数コマタッチしたか否かの判定を行っているので、このときタッチしていたタッチ画像９６のコマ数Ｍを判定する。続いて、コマ数Ｍの平方根を求め、この値に小数部がないか否かの判定を行う（Ｓ２３２）。
【００４５】
このステップＳ２３２の判定の結果、小数部がなければ、Ｌ＝Ｍ（１／２）とし（Ｓ２４１）、Ｌ×Ｌ個のマスを配置する（Ｓ２４２）。この場合には、図８において説明したように、小数部がないことから、単純に整数Ｌの二乗のマスを配置する。すなわち、この場合は、タッチコマ数Ｍは整数Ｌの二乗であり、各画像のアスペクト比を変えずに、表示し直すことができる。例えば、ユーザが２の二乗である４つの画像をタッチすると、この場合にはＬは２であり、画面を４分割（上下に２分割、左右に２分割）する。また、ユーザが３の二乗である９つの画像をタッチすると、この場合には、Ｌは３であり、画面を９分割（上下に３分割、左右に３分割）する。
【００４６】
また、ステップＳ２３２における判定の結果、小数部があった場合には、Ｌ＝１＋Ｍ（１／２）の整数部を求め（Ｓ２３３）、Ｌ×Ｌ個のマスを配置する（Ｓ２３４）。図７を用いて説明したように、タッチコマ数Ｍの平方根を求めた結果、小数部が生じた場合には、タッチされたコマの周囲のみなしタッチ画像も含め、整数Ｌの二乗となる画面（マス）に分割するようにしている。ここで、縦・横共にＬで分割するのは、アスペクト比を変更しないようにするためである。したがって、マスの数としては、ステップＳ２４２およびＳ２３４において、タッチコマ数Ｍが２〜４の場合には４分割表示とし、タッチコマ数Ｍが５〜９の場合には、９分割表示を行う。
【００４７】
ステップＳ２３４において、Ｌ×Ｌ個のマスを配置すると、次に、上下と左右にタッチコマがあったコマが有るか否かの判定を行い（Ｓ２３５）、この判定の結果がＹＥＳの場合には、図７（ａ）（ｃ）において説明したように、対称コマ（みなしタッチ画像９７ａ〜９７ｄ）もタッチコマとする（Ｓ２３６）。すなわち、ステップＳ２３４で配置したマスの数より、ユーザがタッチした画像の数が少ないことから、ステップＳ２３５およびＳ２３６において、ユーザがタッチした画像の周辺からみなしタッチ画像を選択し、タッチ画像と共に候補画像として扱い、画面分割のマスを決定する。
【００４８】
ステップＳ２３６の処理を行うと、またはステップＳ２３５における判定の結果Ｎｏであった場合には、次に、タッチコマ（タッチ画像９６）がＬ×Ｌよりも少ないかを判定する（Ｓ２３７）。このステップでは、ステップＳ２３５、Ｓ２３６において上下左右にみなしタッチ画像の選択を行った場合でも、まだ、Ｌ×Ｌ個の画像に足りなかった場合、すなわち、図７（ｄ）における状態か否かの判定を行う。この判定の結果、タッチコマ（タッチ画像）がＬ×Ｌより少なかった場合には、次に、Ｌ×Ｌ−タッチコマ分の隣接画像を追加する（Ｓ２４５）。このステップでは、図７（ｄ）において説明したように、タッチ画像の重心位置を考慮し、みなしタッチ画像９７ｅ〜９７ｇを追加する。
【００４９】
ステップＳ２４２またはＳ２４５における処理を行うと、またはステップＳ２３７における判定の結果、Ｎｏであった場合には、各マス中央にタッチコマを並べる（Ｓ２３８）。このステップでは、図８（ｂ）（ｃ）を用いて説明したように、分割された各コマの中央部分に、対応する画像を表示する。
【００５０】
このように、図６に示すタッチ部複数コマ間大のサブルーチンにおいては、一覧表示の際に、図４（ａ）（ｂ）に示すように、多数の画像が隣接している場合でもあっても、タッチした画像の周辺の画像が分散し、画像の間隔が広がり、意図する画像を確認しやすくなるのと、的確に狙ってタッチすることができる。もちろん、ユーザがタッチした画像が、図９（ａ）に示すように、４個以下なら、図９（ｂ）に示すように、４つのコマが大きく表示され、そこからさらに選択できる。
【００５１】
上述した２５分割程度の例では、表示部８が十分大きければ、ユーザによって多数の画像がタッチされることは多くはないかもしれないが、液晶等の表示パネルの解像度が向上し、図９（ｃ）に示すような１００分割程度の画面では、本実施形態のように、タッチ画像やその周辺の画像を分散表示させることによって、確実に意図する画像を表示させることができる。
【００５２】
上述したように、本発明の第１実施形態においては、複数の画像が一覧表示されている場合に、ユーザによって複数の画像がタッチされた際に、これらのタッチ画像９６の間隔を広げて候補画像９２を表示するようにしている。このため、候補画像の中から、誤って意図しない画像を選択する可能性を低くすることができる。
【００５３】
次に、本発明の第２実施形態について、図１０および図１１を用いて説明する。第１実施形態においては、ユーザにタッチされた複数のタッチ画像数Ｍに応じて、縦横にＬ個、分割し、それぞれのマスの中央部に候補画像を配置していた。すなわち、タッチ画像数Ｍに応じて分割数が決まり、これに応じて自動的に候補画像９２の間隔が決まっていた。これに対して、第２実施形態においては、タッチしたユーザの指の幅Ｐに応じて、候補画像９２の間隔を変更するようにしている。すなわち、ユーザが画像をタッチする範囲を判定し、この範囲内に候補画像９２が配置されないように、候補画像９２の間隔を制御するようにしている。
【００５４】
例えば、図１０（ａ）に示すように、斜線を施した５つのタッチ画像９６ｃ（図では１つのタッチ画像を代表として符号９６ｃを付す）をユーザがタッチしたとする。このとき、直線上に３コマ分の画像がタッチされていることから、ユーザの指の太さＰは、画像３コマ分あると推定される。したがって、候補画像を表示する際には、ユーザの指の太さＰを考慮して候補画像の間隔を決める。図示した例では、上下左右に、（３−１）／２＝１コマずつ間隔をあけ、この間には候補画像を表示しないようにする。また、指の太さＰが５コマ分ある場合には、上下左右に、（５−１）／２＝２コマずつ間をあけるようにする。
【００５５】
第２実施形態における構成は第１実施形態と同様であり、ただ、図６に示したタッチ部複数コマ間大のサブルーチンを図１１に示すフローに変更するだけである。そこで、このフローを中心に説明する。
【００５６】
タッチ部複数コマ間大のフローに入ると、まず、１列にタッチされたピクセル数の最大値Ｐを検出する（Ｓ３０１）。この最大値Ｐは、図１０（ａ）に示すように、直線上に並んでいる画像の数の最大値である。なお、列方向に限らず、横方向や斜め方向の最大値を求めても良い。
【００５７】
続いて、求めた最大値Ｐを用いて、（Ｐ−１）／２の間隔だけ離して表示域を配置する（Ｓ３０２）。すなわち、算出された上下左右（Ｐ−１）／２の間では、使えないコマとして扱い、図１０（ｂ）に示すように（ここではＰ＝３）、候補画像９２を配置する表示域を決定する。次に、タッチされた位置中心の画像が中央になるようにする（Ｓ３１１）。すなわち、タッチされた重心位置のタッチ画像９６ｃを中心にして候補画像９２を表示する。そして、中央画像を中心に同じ並びで、各表示域に候補画像９２を表示する（Ｓ３１２）。つまり、ステップＳ３１１で配置された候補画像の周りに上下左右の方向関係は変えないで、それぞれ、（Ｐ−１）／２だけの間を空けて、図１０（ｂ）に示すように候補画像９２を配置する。画像表示を行うと元のフローに戻る。
【００５８】
このように、本発明の第２実施形態においては、ユーザの指の大きさＰや、タッチの癖などを考慮し、画像の間隔を決めている。このため、一覧表示の際に画像の誤選択が起こらないようにすることができる。
【００５９】
なお、本実施形態においては、候補画像の間隔については、上下左右、最大値Ｐに基づいて算出していた。しかし、これに限らず、上下と左右はそれぞれ別々に最大値Ｐを求め、上下と左右での画像間隔を異なるようにしても勿論かまわない。
【００６０】
次に、本発明の第３実施形態について、図１２ないし図１４を用いて説明する。第１および第２実施形態においては、タッチされると、候補画像９２の間隔を広げてはいたが、個々の候補画像９２の大きさはそのままであった。第３実施形態においては、個々の候補画像９２の間隔を広げると共に、中央部に位置する候補画像９８について他の画像より拡大表示する。
【００６１】
第３実施形態における構成は第１実施形態と同様であり、ただ、図６に示したタッチ部複数コマ間大のサブルーチンを図１４に示すフローに変更するだけである。そこで、このフローについて説明する。
【００６２】
タッチ部複数コマ間大のフローに入ると、まず、第２実施形態における図１１のフローと同様に、タッチされた１列のピクセル数の最大値Ｐを検出し（Ｓ３０１）、タッチされたときの指の幅Ｐに基づいて、（Ｐ−１）／２を求め、この値の分だけ離して候補画像の表示域を配置する（Ｓ３０２）。図１２および図１３に示す例では、指の幅Ｐは５であり、このＰを用いて間隔を求めると、（５−１）／２＝２となる。そこで、複数ある候補画像９６の内、中央にある候補画像９８をタッチした際に、隣接する候補画像９９の端部に、指がかからないように、中央にある候補画像９８の中心と隣接する候補画像９９の端部までの間隔を、２つの候補画像の拡大前の画像分だけ、間隔を空ける。これによって、指の太さが５画像分ある場合でも、拡大された中央の候補画像９８の中心から、左右上下２つの拡大前の画像相当分、タッチしてしまったとしても、隣接する候補画像９９に触れることはない。
【００６３】
続いて、中央の候補画像の画像幅をＰ−２の演算によって求める（Ｓ３０３）。これは、隣接画像との間隔を左右、または上下に拡大前の１画像分ずつ設けるためで、Ｐ−１−１の計算式から得られた式である。また、この拡大前の１画像だけでは、隣接画像に触れてしまうので、画像そのものを拡大して、指の幅が拡大画像と上述の間隔（拡大前の１画像分ずつ）を含めて中に収まるようにしている。図１２および図１３に示す例では、中央の候補画像９８の画像幅は、指の幅Ｐが５であることから、５−２＝３となり、画像３個分の幅とする。続いて、周囲の候補画像９９の画像幅を、（パネル幅―２）／２とする（Ｓ３０４）。図示の例では、表示パネルの幅は画像１０個分であることから、周囲の候補画像９９の画像幅は、（１０−５）／２＝２  （小数点以下、切り捨て）となる。なお、周辺の候補画像９９をタッチした時に、指の幅によっては、例えば中央の候補画像９８をタッチしてしまう可能性がある。しかし、この場合は、候補画像９９が表示部８の端部にあるので、指の半分が表示部８から外れてしまうようなタッチが期待でき、これによって誤操作を防止することができる。
【００６４】
次に、ユーザにタッチされた位置中心に対応する候補画像を中央に配置する（Ｓ３１１）。このステップでは、ステップＳ３０３において求めた画像幅の大きさ（図示の例では、３画像分）で、タッチされた中心位置に合った画像を中央の候補画像９８として配置する。続いて、中央の候補画像９８を中心に同じ並びで各表示域に候補画像９９を配置する（Ｓ３１２）。前述したように、周辺の候補画像は、誤操作し難いように、中央の候補画像９８から極力離して配置する。この場合、必然的に上下左右と四隅など画面内の端部に配置されることになるが、このときの候補画像９９の大きさは、中央の候補画像９８と画面内の残りの領域、および上述した間隔（拡大前の１画像分）によって決定される。この大きさの候補画像９９を８か所に配置する。中央の候補画像９８は、画面タブでの指のはみ出しを期待できないので、大きく表示されることになる。候補画像の表示を行うと、元のフローに戻る。
【００６５】
このように、本発明の第３実施形態においては、一覧表示する際に比較し、候補画像９８、９９を大きくして表示している。このため、候補画像９８、９９が見やすくなると共に、隣接する画像との距離を十分とるようにしているので、誤って意図しない画像をタッチすることがない。
【００６６】
なお、本実施形態においては、中央に配置した候補画像９８を周辺の候補画像９９よりも大きくしたが、これに限らず、周辺の大きさは変えず、中央のみ大きくしても良いし、また、周辺も中央と同じくらい大きくするようにしても良い。いずれにしても、一覧表示の際よりも大きくすることにより、ユーザは候補画像の中から選択することが容易となる。
【００６７】
また、本実施形態においては、指の幅Ｐが、指先で突いた等により、非常に狭い場合には、中央の候補画像９８の大きさが小さくなる可能性がある。そこで、そのような対策として、周辺の候補画像９９の方が大きくなる場合には、中央の候補画像９８を大きくするようにしても良い。このような本実施形態の変形例におけるフローについて、図１５を用いて説明する。
【００６８】
このタッチ部複数コマ間大のサブルーチンのフローは、ステップＳ３０１〜Ｓ３０４とステップＳ３１１とＳ３１２は、第３実施形態の図１４に示すフローと同じである。相違するのは、ステップＳ３０４とＳ３１１の間にステップＳ３０５とＳ３０６を挿入した点にあるので、この相違点を中心に説明する。
【００６９】
図１５に示すフローに入り、ステップＳ３０４において周囲の候補画像９９の幅を求めると、次に、周囲の候補画像９９と中央の候補画像９８の幅を比較し、周囲の候補画像９９の方が中央の候補画像９８より大きいか否かの判定を行う（Ｓ３０５）。この判定の結果、周囲の候補画像９９の方が大きかった場合には、次に、画面を等分に９分割する（Ｓ３０６）。等分にすることにより、中央の候補画像９８を周囲の候補画像９９より大きくする処理となる。すなわち、周辺に拡大した候補画像９９が、中央の候補画像９８よりも大きい場合には、図１３に示したような配置の表示では、中央の候補画像９８が周辺の候補画像９９より小さくなるレイアウトとなる。この場合には、少なくとも、周辺の候補画像９９と中央の候補画像９８の大きさを同じにしても差し支えない。したがって、この場合には、画面を９分割したのと同等のレイアウトとする。
【００７０】
ステップＳ３０６において画面を等分に９分割すると、またはステップＳ３０５における判定の結果、周囲の候補画像９８の方が小さかった場合には、第３実施形態と同様に、ステップＳ３１１以下を実行し、処理が終わると元のフローに戻る。
【００７１】
以上、説明したように、本発明の実施形態においては、複数画像を一覧表示している際に、タッチパネル８ｂで複数個所がタッチされた場合には、タッチされた周辺も含めて、候補画像の間隔を広げ、すなわち離散的に表示させている。このため、表示部８上の個々の画像を確認し、選択するための操作を確実に行うことができる。
【００７２】
また、本発明の実施形態においては、一覧表示において複数の画像がタッチされた場合には、タッチされた画像の数や、タッチされている範囲に基づいて、候補画像の数や間隔を変更するようにしている。このため、ユーザが誤って意図しない候補画像を選択するおそれを減少させることができる。
【００７３】
さらに、本発明の実施形態においては、候補画像の大きさも一覧表示の場合に比べて拡大している。このため、候補画像の中から画像を選択する際に、個々の画像を確認しやすくなり、誤って意図しない候補画像を選択するおそれを減少させることができる。
【００７４】
さらに、本発明の実施形態においては、タッチパネルへのタッチ状態（タッチの強さや、タッチ過程）に応じて、表示状態を変更するようにしている。すなわち、弱いタッチ状態やパネルに近い第２のタッチ段階では、一覧表示（第２の表示モード）に戻るようにしている。このため、ユーザは弱いタッチ状態や第２のタッチ段階にすることにより、一覧表示に簡単に戻ることができ、誤って別のところをタッチしても、やり直すことができる。
【００７５】
なお、本発明の実施形態においては、タッチパネルの例として、抵抗型のタッチパネルと、光電センサ型のタッチパネルを挙げたが、これに限らず、他の方式のタッチパネル、例えば、静電容量方式、表面弾性波方式、赤外線方式、マトリックス方式等、種々の方式のタッチパネルを使用することができる。これらのタッチパネルにおいても、タッチの強さやタッチの過程に応じて、表示モード等を変更するようにしても良い。
【００７６】
また、本発明の実施形態においては、表示域を離間させるための間隔や、候補画像を表示する際の各候補画像の大きさについて、実施形態中に記載した式は一例であり、ここの設計思想に応じて、適宜変更しても勿論かまわない。
【００７７】
さらに、本発明の実施形態においては、撮影のための機器として、デジタルカメラを用いて説明したが、カメラとしては、デジタル一眼レフカメラでもコンパクトデジタルカメラでもよく、ビデオカメラ、ムービーカメラのような動画用のカメラでもよく、さらに、携帯電話や携帯情報端末（ＰＤＡ：Personal Digital Assist）等に内蔵されるカメラでも構わない。いずれにしても、多数の静止画、動画を記録し、これを再生可能な画像表示装置であればあれば、本発明を適用することができる。
【００７８】
本発明は、上記実施形態にそのまま限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素の幾つかの構成要素を削除してもよい。さらに、異なる実施形態にわたる構成要素を適宜組み合わせてもよい。
【図面の簡単な説明】
【００７９】
【図１】本発明の第１実施形態に係わるカメラの電気系の構成を示すブロック図である。
【図２】本発明の第１実施形態に係るカメラの抵抗型のタッチパネルを説明する図であり、（ａ）は抵抗型タッチパネルの構成を示す斜視図であり、（ｂ）は弱くタッチされた状態におけるタッチパネルの断面図であり、（ｃ）は強くタッチされた状態におけるタッチパネルの断面図である。
【図３】本発明の第１実施形態に係わるカメラの光電センサ型のタッチパネルを説明する図であり、（ａ）は指が近づいている状態におけるタッチパネルの断面図であり、（ｂ）は指が密着した状態におけるタッチパネルの断面図である。
【図４】本発明の第１実施形態に係わるカメラにおいて、表示部とタッチパネルの使用方法を示す図であり、（ａ）は９画像を表示する一覧表示を示し、（ｂ）は１６画像を表示する一覧表示を示し、（ｃ）は画像を選択するために複数コマをタッチした状態を示し、（ｄ）はタッチされた画像についての選択用に候補画像を示す図である。
【図５】本発明の第１実施形態におけるカメラにおいて、カメラ制御の動作を示すフローチャートである。
【図６】本発明の第１実施形態におけるカメラにおいて、タッチ部複数コマ間大の動作を示すフローチャートである。
【図７】本発明の第１実施形態におけるカメラにおいて、タッチ画像から候補画像を選ぶ様子を示す図であり、（ａ）はタッチ画像を示す図であり、（ｂ）はタッチ画像から候補画像を選択した様子を示す図であり、（ｃ）は他のタッチ画像の例を示す図であり、（ｄ）はさらに他のタッチ画像の例を示す図である。
【図８】本発明の第１実施形態におけるカメラにおいて、タッチ画像から候補画像を表示するための表示域を決定する様子を示す図であり、（ａ）はタッチ画像の配列を示す図であり、（ｂ）はタッチ画像から候補画像の位置を決め、（ｃ）は候補画像のみを示した図である。
【図９】本発明の一実施形態におけるカメラにおいて、タッチ画像の様子を示す図であり、（ａ）は２つのタッチ画像がタッチされた様子を示す図であり、（ｂ）は４つのタッチ画像に基づいて４つの候補画像が表示された様子を示す図であり、（ｃ）は一覧表示として１００画像が表示される様子を示す図である。
【図１０】本発明の第２実施形態におけるカメラにおいて、タッチ画像の範囲から候補画像の間隔を決める様子を説明する図であり、（ａ）は指の太さＰを示す図であり、（ｂ）は指の太さＰに応じて候補画像の間隔が決められた様子を示す図である。
【図１１】本発明の第２実施形態におけるカメラにおいて、タッチ部複数コマ間大の動作を示すフローチャートである。
【図１２】本発明の第３実施形態におけるカメラにおいて、候補画像の表示にあたって拡大する様子を示す図である。
【図１３】本発明の第３実施形態におけるカメラにおいて、候補画像の表示にあたって候補画像の大きさを拡大した様子を示す図である。
【図１４】本発明の第３実施形態におけるカメラにおいて、タッチ部複数コマ間大の動作を示すフローチャートである。
【図１５】本発明の第３実施形態におけるカメラにおいて、タッチ部複数コマ間大の動作を示すフローチャートの変形例である。
【符号の説明】
【００８０】
１・・・画像処理及び制御部、１ｂ・・・表示制御部、２・・・撮像部、３・・・顔検出部、４・・・記録部、６・・・操作判定部、８・・・表示部、８ｂ・・・タッチパネル、９・・・時計部、１２・・・通信部、８０・・・液晶、８０ａ・・・バックライト、８０ｂ・・・光センサ、８１・・・指、９１・・・（一覧表示）画像、９２・・・候補画像、９２ａ・・・候補画像、９２ｂ・・・候補画像、９３ａ・・・分割コマ、９３ｂ・・・分割コマ、９６・・・タッチ画像、９６ａ〜９６ｃ・・・タッチ画像、９７ａ〜９７ｈ・・・みなしタッチ画像、９８・・・中央の候補画像、９９・・・周辺の候補画像、１０１・・・透明フィルム、１０２・・・透明フィルム、１０３・・・透明抵抗膜、１０４・・・透明抵抗膜
【図１】
2010113441.tif 000003
【図２】
2010113441.tif 000004
【図３】
2010113441.tif 000005
【図４】
2010113441.tif 000006
【図５】
2010113441.tif 000007
【図６】
2010113441.tif 000008
【図７】
2010113441.tif 000009
【図８】
2010113441.tif 000010
【図９】
2010113441.tif 000011
【図１０】
2010113441.tif 000012
【図１１】
2010113441.tif 000013
【図１２】
2010113441.tif 000014
【図１３】
2010113441.tif 000015
【図１４】
2010113441.tif 000016
【図１５】
2010113441.tif 000017